(57)【特許請求の範囲】
【請求項１】
開閉装置扉又は類似の扉又は蝶番蓋のロックのためのロッド型錠にして、偏平帯材ロッドに配設された少なくとも１つのロック部分（34）を備え、扉縁に対して平行に特に傾倒室（10）中に案内される偏平帯材ロッド（18）と、ロック部分（34）のロッキングのために扉枠にある閉鎖要素（32）とから成りかつ開放位置とロック位置の間の偏平帯材ロッド（18）の縦移動のための操作位置を備えた前記ロッド型錠において、
偏平帯材ロッド（18、118、218、318、418）はロック部分（34、134、234、334、434、534）の形成のためにその縦長さの中間部において、その縦長さの一部分に渡って形成された特定部分（Ａ）の端の曲げ部によって、ロッドの縦平面（Ｅ）から偏倚しており（96,98）、そして偏平帯材輪郭は、外方に偏倚した又は内方に偏倚した又は偏倚の解消若しくは軽減された狭い側（例えば80、82）を備えた偏倚部（Ａ）又は偏倚部（Ａ）に隣接した部分においてロック面を形成し、ロック面は閉鎖要素（32;132;232;332;432;532）の偏平帯材ロッド平面（Ｅ）に対して平行に配設されたフック部分（36;136;236;336;436;536）によって把持されることを特徴とする前記ロッド型錠。
【請求項２】
偏平帯材ロッド（例えば118）がその偏倚部分（Ａ）において偏平帯材ロッドの厚さ（Ｓ）の１倍〜２倍の量だけ偏倚していることを特徴とする請求項１に記載のロッド型錠。
【請求項３】
偏平帯材ロッド（例えば118、218、318）がその偏倚部分（Ａ）で一方向にロッド平面（Ｅ）から偏倚していることを特徴とする請求項２に記載のロッド型錠。
【請求項４】
偏平帯材ロッド（18）がその偏倚部分（Ａ）でこの部分の経過において先ず一方向（96）にそれからこれと反対の他の方向（98）に、好ましくは等しい量（例えばＳ）だけ偏倚していることを特徴とする請求項２に記載のロッド型錠。
【請求項５】
偏倚を生じさせる曲げ撓み線（76、78）の両領域に偏平帯材ロッド（18）の１つ又は両狭い側（80、82）がトラフ状の窪み（84、86）を形成することを特徴とする請求項３に記載のロッド型錠。
【請求項６】
閉鎖要素（32、132、232、332、432）がＬ状に形成されており、その際一方のＬ脚部（38、138、238、338、438）が閉鎖要素の固定に役立ちかつ他の脚部（46）がその自由端で偏平帯材ロッドのロック面を把持するフック部分（36、136、236、336、436）を形成することを特徴とする請求項１に記載のロッド型錠。
【請求項７】
閉鎖要素（例えば32）が固定のために役立つＬ脚部（38）の自由端に偏平帯材ロッド（18）のロック部分（Ａ）の幅側（44）のための案内ウエブ（40）を形成することを特徴とする請求項６に記載のロッド型錠。
【請求項８】
案内ウエブ（40）がロッド移動方向において斜めの又は湾曲した乗り上げ面（68）を形成することを特徴とする請求項７に記載のロッド型錠。
【請求項９】
案内ウエブ（40）が、その端縁にロッド軸線に対して垂直方向に斜めの又は湾曲した乗り上げ面（52、369）を有することを特徴とする請求項７又は８に記載のロッド型錠。
【請求項１０】
閉鎖要素（432）の固定脚部（438）の中央領域から偏平帯材ロッド（318）のトラフ状の窪みの方向に少なくとも１つの突起又はウエブ（92）が突出していることを特徴とする請求項６、７、８又は９のうちのいずれか１つに記載のロッド型錠。
【請求項１１】
把持するフック部分（36）からも突起又はウエブ（94）が、好ましくは他の突起又はウエブ（92）に対して整列して突出していることを特徴とする請求項10に記載のロッド型錠。
【請求項１２】
閉鎖要素（532）がＵ形横断面を有しかつＵ形横断面のウエブ（538）と固定されており、一方Ｕ脚部（546）の自由端からそれによってＵ脚部の間に案内された偏平滞材ロッド（418）を把持するフック部分（536）が出ていることを特徴とする請求項４に記載のロッド型錠。
【請求項１３】
ロックロッド（218）が偏倚部の始端にそれによって窪み領域（292）を形成し、そこから再び広がる１つの斜め面（292、284）が出ていることを特徴とする請求項３に記載のロッド型錠。
【請求項１４】
ロック部分（232）が、固定ねじ（241）のための通口（239）の領域に通口（245）中のロック部分（232）の整向のための少なくとも１つの突出部（253）を、ロック部分（232）のための固定面（24）に有することを特徴とする請求項１に記載のロッド型錠。
【請求項１５】
２つの突起（249、251）が設けられており、突起は固定ねじ（24）のための固定ナット（243）の回転運動を制限していることを特徴とする請求項14に記載のロッド型錠。
【請求項１６】
固定ナット（243）が矩形の形態を有し、矩形の形態はロック部分（232）のための固定面（24）における通口に適合しておりかつ一方向においては通口（245）を通過しかつこれと偏倚した第２の方向においては通過しない寸法になっていることを特徴とする請求項15に記載のロッド型錠。
【請求項１７】
ねじ（241）が締付けの際ナット（243）を、ナットが２つの突起（249、251）によって固定保持される第２の方向にねじられることを特徴とする請求項16に記載のロッド型錠。
【請求項１８】
固定ねじ（41）のための通口（252）が偏倚のないロッド平面（Ｅ）と一致することを特徴とする請求項13から17までのうちのいずれか１つに記載のロッド型錠。
【請求項１９】
偏倚された部分（Ａ）によって形成された窪み空間の側輪郭が、トラフ状の形態を有し又は閉鎖要素（232）のフック部分（例えば236）の外側輪郭よりも僅かに大きいことを特徴とする請求項１に記載のロッド型錠。
【請求項２０】
偏倚された部分（Ａ）の平面図における輪郭が、ロックロッド（例えば218）の偏倚してない部分（291）からロックロッドの偏倚した部分（293）への移行の際に、ロッド幅が一度狭められて（292）から再び広げられていることを特徴とする請求項１又は19に記載のロッド型錠。
【請求項２１】
閉鎖要素（例えば232）が固定ねじ（241）の収容のための少なくとも１つの深い孔（例えば239）を有し、その軸線はロックロッド（218）の偏倚してない部分の縦軸線（Ｅ）に対して一致することを特徴とする請求項１又は19に記載のロッド型錠。
【請求項２２】
閉鎖要素が閉鎖要素の固定面の領域において整向突起（153;249、251）を形成し、整向突起は窪み部又は通口（245）を通って閉鎖要素が固定されるべき面の窪み部又は通口と協働することを特徴とする請求項１又は21に記載のロッド型錠。
【請求項２３】
閉鎖要素が突起（例えば251）の領域において、固定ねじ（241）のための孔（239）を有し、固定ねじはラジアル方向に長く延びるナット（243）にねじ込まれており、ナットは相応した通口（245）を通って固定面において少なくとも１つの方向に通過適合しかつ少なくとも１つの他の方向において通過適合していないことを特徴とする請求項22に記載のロッド型錠。
【請求項２４】
固定ねじ（241又はナット（243）がねじの領域に摩擦を高める材料が装入されることを特徴とする請求項23に記載のロッド型錠。
【請求項２５】
ナット（243）が乗り上げ面上に摩擦を高めるための歯（259）を有することを特徴とする請求項23又は24に記載のロッド型錠。
【請求項２６】
ナット（243）が側縁において閉鎖要素（例えば232）の突起（249、251）を受けるための窪み（257）を有することを特徴とする請求項25に記載のロッド型錠。
【請求項２７】
閉鎖要素の固定のための孔（239）が閉鎖要素のフック部分（例えば236）の基準線の外方に位置しまたはフック部分（236）が孔（373）の領域において窪みを有しかつねじ回しのような所属の工具のための固定ねじの頭部に手が届くことを特徴とする請求項１に記載のロッド型錠。
【発明の詳細な説明】
産業上の利用分野
本発明は好ましくは開閉装置扉又は類似の扉又は蝶番蓋のロックのためのロッド型錠にして、そこに配設された少なくとも１つのロック部分を備えた、扉縁に対して平行に好ましくは傾倒室中に案内して配設された偏平帯材ロッドと、ロック部材のロッキングのために扉枠にある閉鎖要素とから成りかつ開閉位置の間に偏平帯材ロッドを縦移動させるための操作装置を備えたロッド型錠に関する。
従来の技術
この種のロッド型錠はヨーロッパ特許明細書0261268号から既に公知である。
屈曲した縁を備えかつそれによって傾倒室を形成する金属板キャビネット扉を備えた金属板キャビネットでは、ロッド型錠の閉鎖機能への要求が特別に高い、そのわけはそのような扉は限られた安定性しか有しないからである。そのようなキャビネット扉は事情によっては引っ張られたり捩じられたりし、さらにこれらの扉は所定の使用の際特別に高い負荷を受ける。例えば高圧開閉器を有する電気的開閉装置の扉では、キャビネットの内方にアークが発生し、アークはアークガスの爆発的開放に繋がり、このことは扉の高い圧力負荷に繋がる。
従って、そのような金属板キャビネットのために設けられたロッド型錠を、ロッド型錠が扉を確実にキャビネットケースと結合し、その結果扉が所定の負荷をも吸収することができるように形成することが重要である。その際特別の注意はそのロック部材を備えたロックロッドの形状と支承とである。
ヨーロッパ特許明細書0261268号によれば、偏平帯材ロッドは、ロック部分として横断面円形のピンを有し、ピンは例えばリベット工程により偏平帯材上に結合され、そのピンは閉鎖過程でＵ形輪郭の台中に進入する。
西独国特許明細書第4210586から公知の、冒頭に記載したものと類似するロッド型錠は偏平帯材ロッドのロック部分として90゜ねじられ、一方閉鎖要素としてフック状構成部分が使用される。
最初に記載した文献では、その比較的高価な構成が欠点であり、その構成は既に達成された利点をそのまま保持して簡単化されるべきであり、一方他の文献では偏平帯材ロッドのねじりによって形成されたロック領域への進入領域が問題を広げることが欠点である。そのように形成された把持構造は即ち高い摩擦従って高い磨耗並びに進入過程の間の移動困難性に繋がる。他の欠点は、ねじりが両側に及びかつそれによって両側のうち片側のみが使用可能であって、比較的広い構造となり、その結果不必要なスペースが存在することになり、更にロッドへのねじり負荷が大きく、このことは同様にロッド案内における摩擦を高めかつ操作に必要な力を更に高めることに見られる。
本発明の課題は、冒頭に述べた種類のロッド型錠を、ロッド型錠が簡単に構成され従って安価に製造されることができ、同時に進入の際に高い摩擦、高い磨耗及び困難性に繋がらず、かつ更に特別に狭くかつ安定に実施されることができるよかに改良することである。
本発明の課題は、偏平帯材ロッドはロック部分の形成のためにその縦長さの少なくとも一部分に渡って、特定部分の端の曲げ部によって、その縦平面から偏倚しており、そして偏平帯材輪郭は、偏倚した（外方）又は偏倚してない（内方）の狭い縁を備えた偏倚部又は偏倚部に隣接する部分にロック面を形成し、ロック面は、閉鎖要素の偏平帯材ロッド平面に対して平行に配設されたフック部分によって把持されることによって解決される。
コストの高いローラピンの代わりにここでは偏倚部が、ロックロッド従ってこれと結合した扉を、扉枠によって支持された閉鎖要素の突起又はフック部分の後方に偏倚部を移動させることによって扉を扉枠にロックし又は同方向に突出する突起又は桟敷状部材の領域に偏倚部を移動させることによって扉を扉枠とのロック状態から開放するために役立つ。この最後の場合ロッド平面に位置する縁によってロックされ、それによってロッドのねじり負荷は実質的に排除される。
本発明の好適な他の構成によれば、偏平帯材ロッドはその偏倚部分で偏平帯材ロッドの厚さの二倍の量だけ偏倚される。この値は、ロッドがその偏倚した領域によってかつ付設の保持要素を多くの個所で応力をかけることなしに、充分確実なロックを保証するのに充分である。
偏平帯材ロッドがその偏倚部分でロッド平面からある方向に偏倚している場合に好適である。しかし選択的に偏平帯材ロッドがその偏倚部分でその経過において先ず１つの方向にかつそれからこれとは反対の他の方向に、好ましくはそれぞれ等しい量づづ、例えばロッド厚さだけ偏倚させられることができる。相応して形成された保持要素ではこのことは同時に偏平帯材ロッド上への回転トルク作用を減少させる、そのわけは両保持アームが反対方向に偏倚されかつその作用を吸収するからである。
本発明の更に他の構成によれば、閉鎖要素はＬ状に形成されており、一方のＬ脚部は閉鎖要素の固定に役立ちかつ他方のＬ脚部はその自由端で偏平帯材ロッドのロック面を把持するフック部分を形成する。本発明の更に他の構成によれば、閉鎖要素はその固定に役立つＬ脚部の自由端に偏平帯材ロッドのロック部分の幅側のための案内ウエブを備える。
このような構成では、閉鎖要素の案内ウエブは偏平帯材ロッドの移動方向に（これに対して垂直方向にも）斜めのかつ湾曲した乗り上げ面を有することができる。
この方法で追加の案内を形成するために、Ｌ状閉鎖要素の固定脚部の中央領域から偏平帯材ロッドのトラフ状の窪みの方向に少なくとも１つの突起又はウエブが突出している。
更に改良された案内は、把持している保持部材からも突起又はウエブが突出し、好ましくは閉鎖要素の固定脚部から出発する突起又はウエブに正確に合致した方向に突出する場合に得られる。
閉鎖要素はＵ形横断面をも有することができかつＵ形ウエブに固定され、一方Ｕ脚部の自由端からＵ脚部の間に案内されている偏平帯材ロッドを把持するそれぞれ１つのフック部分が突出している。
【図面の簡単な説明】
本発明を次に図示の実施例に基づいて詳しく説明する。
即ち、
図１は、本発明によるロッド型錠の第１実施形態による、ロック部分を備えた偏平帯材ロッドと所属の閉鎖要素を備え、傾倒室内に格納されたロッド型錠を備えた金属板キャビネット扉の傾倒室の後方から見た図である。
図２は、図１の２−２線に沿う断面図である。
図３は、図１の３−３線に従う断面図である。
図４は、図１の４−４線に沿う断面図である。
図５は、図１の５−５線に沿う断面図である。
図6A及び図6Bは、本発明の実施形態による偏平帯材ロッドの偏倚部及びこれを通す閉鎖要素の詳細図示のための側面図及び断面図である。
図7A、図7B及び図7Cは、他の実施形態の説明のための平面図としての相応した図並びに他の図である。
図8A、図8B及び図8Cは、他の実施形態の相応した図である。
図9A及び図9Bは、他の実施形態の相応した図である。
図10は図５に類似した図であって、図11の矢印Ｘに沿う断面図である。
図11は、図１に類似した図であって、変形されたロック部分及び変形された付設の閉鎖要素を備えた他の形に形成されたロックロッドを示す図である。
図12は、図11の12−12線に沿う断面図である。
図13は、図11の13−13線に沿う軸線断面図である。
図14は、扉枠へのロック部材の固定部を説明するための図10に類似した図である。
図15は、図14のロック部材を上方から見た図である。
図16は、図14のロック部材を側方から見た図である。
図17は、図15又は図16によるロック部材に好適な扉枠における固定部を破断した正面図である。
図18Aは、図14に利用されているような固定ナットの平面図である。
図18Bは、図18Aの固定ナットの側面図である。
図19は、付設の皿ねじを示す図である。
図20は、図15によるロック部材を図18及び図19によるねじ及びナットを備えた、後方から見た図である。
図21は図20による図であって、ねじによるナットの操作後の図である。
図22A及び図22Bは、尖端を備えたナットを示す図である。
図23A及び図23Bは、図14によるロックロッドであって、ロック領域の90゜偏倚された２つの図を示す。
図24A、図24B及び図24Cは、２つの固定孔を備えた幾分変形された形態のロック部分の３つの相異なる図を示す。
本発明の実施の最良の方法
図１及び図11には、それぞれ金属板キャビネット扉12の傾倒室10を見てこの傾倒室に配設されたロッド型錠14、214が認められ、ロッド型錠は錠16、216から成り、その１つは傾倒室10中を通るロッド18、218から出発し、ロッドは一方では錠16、216の内方に、他方では扉板12のロッド軸受20に移動可能に支承されている。金属板キャビネット12は蝶番帯材22を介して（図２参照）、キャビネットケース24に枢支され、金属板キャビネットは他方の傾倒室11を利用し、傾倒室は外方の縁取り26と扉板上に溶接され、シール28を収容する内方の形板材30との間に形成されている。
図３から図１の３−３線に沿う断面図又は図11の３−３線に沿う断面図が認められるように、キャビネットケース24には閉鎖要素32又は232があり、閉鎖要素を次に更に詳しく説明するが、閉鎖要素中には閉鎖ロッド18又は218によって形成された偏倚部34又は234が進入しかつ例えば案内20（図４）及び錠16又は216を介してロッド18又は218と結合された扉板材12がキャビネットケース24に固定されかつ固定されている。
図１の５−５線に沿う断面図において、閉鎖要素32の実施形態が示され（図５）、しかし例えば図6A中にも示され、また選択的な実施形態232が図14及び図23A及び図23Bと関連して、横断面矩形かつ偏平帯材材料によって形成されたロッド18又は218が偏倚部又は偏倚部34又は234を閉鎖要素32又は232に位置させており、その際この偏倚部34又は234は閉鎖要素32又は232によって形成されたフック部分36又は236によって把持されている。
図５又は図14中に図示された実施形態では、閉鎖要素32又は232はＬ状に形成されており、その際一方のＬ脚部38又は238は、例えばこの脚部38が閉鎖要素32を固定するために固定ねじ51がねじ込まれることができるねじ孔を有し、その際閉鎖要素32は、閉鎖要素32の相応した突起が回転固定されて進入するキャビネットケース24中の通口の形の回転固定部を有することができることによってキャビネットケース24に閉鎖要素32又は232を固定するために役立つ。
図14による実施例では、脚部238は図19による皿ねじ241のための座ぐり孔239（図15）を備え、そのねじ241は図18A（上面図）及び図18B（側面図）による特殊ナット243中にねじ込まれることができる。特殊ナットは幅よりも大きな長さを有する矩形形態を有しかつ相応した矩形孔245によって挿入されたねじ241及び付設のナット243と閉鎖要素232との組立のために扉枠領域24に挿入されることができる。
閉鎖要素232の支持面247に対する特殊ナット243の所定の整向を可能にするために、この支持面247から先ず開口245に適合した突出部253が出ており（図16）、突出部は閉鎖要素232を開口245中に固定しかつ開口245中にねじ込まれる金属板材料の厚さと等しいか又はそれよりも幾分小さい高さを有する。この突出部253からもう一度２つの突起又は突出部249、251が突出し、特殊ナット243のためのストッパを形成する（図18A）。
閉鎖要素232の支持面247に対する特殊ナット243の所定の整向を可能にするために（図20）、この支持面247から先ず開口245に適合した突出部253が出ており（図16）、突出部は閉鎖要素232を開口245中に固定しかつ開口245が設けられている金属板材料の厚さと等しいか幾分小さい高さを有する。この突出部253から出発してもう一度２つの突起又は突出部249、251が出ており、ねじ241がねじを外す方向に捩じられた場合に特殊ナット243のためのストッパを形成し（図18A）、ねじはナットの間の摩擦に基づいて発生するトルクにより、場合によってはねじ241上の合成樹脂点によって補強され（図19）、ナット243は、ナットが相応したストッパ面257によって突起249に当接されかつその際この位置で閉鎖要素232が突起249、251、ナット243及び突出部253と共に通口245を通ってハウジング又は枠24内にら差し込まれることができるようにねじられる。差し込み後ねじ241はねじ回し等の工具によって時計方向に回転され、それぞれ先ずナット243がねじとナットとの間の摩擦及び扉枠24の金属板の後方でナット243の自由な移動可能性に基づいて、90゜、図21で示された位置に回転される。この位置でナットは再び突起249及び251に当接しかつ更にねじ241をねじると、ねじはナット243中に固定され、金属板の後方に当接するナット243の部分は、図14から認められるように、閉鎖要素232を解放する。
図22A及び図22Bによれば、この特殊ナットは扉枠24の固定面の方向にも向いた突起又は尖った歯259を有し、歯はねじ241がねじ込まれるた時に扉枠24の材料中に食い込み、それによって例えば錠の運転中のナット249の自動的緩みを阻止し、しかし、歯がラッカーを通して金属面まで達することにより、特に金属板キャビネットの塗装の際のナットのアースに役立つ追加の安全機能が得られる。
上記の実施形態は簡単化された組立を生じさせる、そのわけは閉鎖要素232は差し込まれた皿ねじ241及び特殊ナット243を供給されることができかつこの構成部分は相応した矩形孔245を通って簡単に扉枠等に差し込まれることができかつ固定ねじ241は固定されるまでねじられる得るからである。その際自動的に閉鎖要素232はその突出部253によって整向されかつ続いてねじ241の操作の際に特殊ナット243をそのロック位置に回しかつ固定する。このことは著しい組立簡単化を意味しかつ部品の喪失を生じさせない。
偏平帯材ロッドの案内の可能性は図１の４−４線に沿う断面に表されており（図４）、そのロッド案内は合成樹脂から成りかつ固定ボルト配列58によって傾倒室10の隅空間に回転不能に配設されかつ偏平帯材ロッド18が突起又は突出部54の予めの撓みによって側方で案内に挿入されることができ、その後例えば溶接ボルト58の固定ナット56はロッド18に対して確実に押圧される。大きな力がかけられる場合、二部分から成る金属ロッド案内も使用可能である。
図３、図４又は図13、図14から、錠16又は216は同時に偏平帯材ロッド18又は218のための駆動装置並びにロッド支承部をも示すことが明らかであり、その結果そこでは図１における20で示されたような追加のロッド支承部の使用は不要とされ得る。ロッドの駆動はロッド中心の相応した孔66中に係入する、錠の捻心64又は264の部分であるピニオン62又は262の歯によって行われ、錠の捻心は扉板12を通って外方に案内される、握り、旋回レバ、差し込み錠等の操作装置のよって捻じり可能であり、その際ピニオン62又は262はロッド18又は218の孔又は歯66へのその係入による回転の際にロッドを昇降移動させる。
閉鎖要素の種々の実施形態32、132、232、332、432並びに偏平帯材ロッド18、118、218の所属の偏倚部分34、134、234、334、434が詳しく記載されており、その際この閉鎖要素は、案内20と閉鎖要素及び所属の偏倚部、例えば34から形成されたロック、例えば42との間のレバアームをできる限り小さくかつ偏平帯材ロッド、例えば18の撓み負荷をできる限り小さくするために、好ましくはロッド案内部20の近くに配設されている（図１）。
このような閉鎖要素32の第１の実施形態は図6Aに側面図で及び図6Bに横断面図で示され、その際図6A及び図6Bに示された実施形態は図１から図５までの実施形態に類似する。閉鎖要素32は扉枠に固定されたＬ脚部38の自由端で偏平帯材ロッド18の偏倚領域34に続くロッド部分の幅側面のための案内ウエブ40を操作することが補完的に行われる。この案内ウエブ40によってロッド18が閉鎖要素32の脚部によって撓められかつそれによってフック部分36の下で解放されることが阻止される。このロックは極端に安定でありかつ主としてその横断面延長部でロッドに剪断及び撓みを負荷し、一方小さい横断面延長部の負荷並びに回転負荷は小さく保持される、そのわけは相応した角、突起及び案内桟敷状部材は全てロッド縦軸線の非常に近くに位置しかつレバーアームは小さいからである。
例えばロッド44が図示しない操作部によって例えば上方に、図6A中一点鎖線で示す位置まで移動される場合に初めて偏倚部34が解放される。今や図6Bによるフック部分36の曲げられない領域が上方に向かって滑らされかつそれによって扉板が扉枠から旋回して離されることができる。扉が改めて閉じられると、曲げられていない領域がフック部分36の端面と案内ウエブ40との間に形成されたスリット48に再び進入し、その際特に偏平帯材ロッド18及び閉鎖要素32の相互の正確ではない整向の際、この進入は、フック部分36が傾斜部50を並びに案内ウエブ40が傾斜部52を有しこれらが共に一種の漏斗を形成することによって、容易にされる。ロッドが図6Bに示す位置に達すると、例えば錠16（図１）を介して図6Aによりロッド18は再び下方へ移動され、その際偏倚領域34が完全に閉鎖要素32の外方にある場合には、曲げ部34の始端の斜めの面60は同様に縁66の容易な進入運動に役立つことができる。他の傾斜面68は、完全に押圧されてない扉では、例えばシール材料28によって制限されて、偏倚部34又は134の進入の際に曲げ部がフック36又は136の端面によってブロックされずに、むしろその代わりに傾斜面68上に滑動されかつその際ロックロッド18又は118を閉鎖要素32又は132に押込みかつ扉を締める。運動は、例えば図6Aに示す保持要素32に対するロックロッド18の位置がが達成されるまで継続され、その位置で閉鎖要素32は略中央で負荷されか、それによって、閉鎖要素32が中央のねじ（図１）によって又は例えば２つの側方のねじ（図6Aの領域72）によってもキャビネットケース24に固定されている場合に、最大の力収容能力が発揮される。
図6Aから分かるように、フック部分36の延長部は閉鎖要素32の残りの部分の長さよりも幾分小さく、即ち特に案内ウエブ40の両Ｌ脚部38又は46はそうである。この措置によって開閉のために必要なロックロッド18の運動ストロークは、その他の安定性及び案内精度は同等であるのに、小さい。
一方図6A及び図6Bによる実施形態は、ロックロッド18が実線で示された位置から、ここから上方又は下方へ移動されて、扉が開放され、図7A、図7B及び図7Cに示す実施形態ではその逆になっている。類似して構成された閉鎖ロッド118の実線で示された中央の位置では、ロックロッドは、扉板が扉枠に対して開閉される場合に、偏倚領域134がフック部分136の傍らに達するように、ロックロッドが位置する。これに対してロッド118が上方又は下方へ、一点鎖線のように、移動すると、ロッド118の偏倚されていない部分はそれによってフック部分136の下に達しかつ扉の開放は最早不可能である。この実施形態ではフック部分136の縦長さは図6A及び図6Bによる実施形態の場合よりも幾分小さく、反対に偏倚領域134の軸線方向長さは幾分大きく、このことは、開放領域の達成のためのロックロッド118の移動の精度がそれ程正確である必要はないことを意味する。その他しかし閉鎖要素32又は132は、閉鎖要素132又は32に対する閉鎖ロッド118又は18の正確ではない整向面を備えていて、これと類似の構成を有する。
閉鎖要素32又は132の全長に対してフック部分36又は136の軸線方向の短い長さのために、上方から手が届く偏平帯材ロッド領域72が生じ、面領域は固定ねじのための皿状孔74（図7B）を設け、図１〜図５による構成とは異なり孔は深くされかつ固定ねじの締付が上方からも可能なようにされる。図7Bの符号74は皿状孔を示す。この種の２つの面72が存在するので、簡単な方法でここでは２つの固定ねじが設けられることができ、このことは閉鎖要素32又は132のための追加的な回転防止を形成する。
図10には閉鎖要素132の実施形態が示され、閉鎖要素はロック固定のために設けられ、かつ図13によれば皿ねじ141によって標準ナット143と固定されることができ、又は図15〜図22によれば、既にこれまでに記載した特殊固定部によって固定される。
閉鎖要素232は斜めの乗り上げ面268を有し、乗り上げ面とロックロッド218の偏倚領域234が協働しかつ偏倚領域の容易な進入を可能にする。ここでは他の実施形態の場合と同様、ねじ141又はナット143の固定軸線がロックロッド（その偏倚領域の外方で）の軸線Ｅに対して正確に一致し、その結果、ロックロッドが偏倚部によるレバアームのみが役割を担う閉鎖力を吸収する場合に、ロックロッド218に全体としてねじりトルクは作用しないことが重要である。他の利点は、ロックロッドがその軸線のまわりに180゜回転されることができ（例えば操作装置の変更のために）、このことは閉鎖要素（例えば232）の回転を必要とするが、固定部の変更を必要としない、そのわけは回転は固定ねじ（例えば141、241）の位置を変えないからである。
図15〜図22に示す改良された固定部は、開閉装置内方が、即ち図14による特殊ナット243が位置すべき面が閉鎖要素232の組立の際に手が届かないか又はようやく手が届く場合にも固定が行われることができるという利点を有する。理由は、閉鎖要素がその突出部249、251、253によってねじ241及び特殊ナットを含めて外方から通口245を通って差し込まれることができ、同様にこの側から手が届くねじ241が捻じられかつ上記の場合と同様に全機構が固定されることができることに基づく。ここでもねじ239の軸線は合理的な方法でロックロッド18の軸線Ｅに正確に位置する。
特別に高い安定性が望まれる場合、図24A、図24B及び図24Cに示すように閉鎖要素232の２つの通口による及び２つの皿ねじの利用による固定も実施されることができる。そこに示された閉鎖要素232はその他の点では図10による機構と類似した構成を有し、更に乗り上げ傾斜部368並びに他の傾斜面369を備え、それによって扉の閉鎖の際にロックロッドの進入が容易にされる。ここでは固定は例えば図13から分かるように、付設の残りのナットを備えた２つの皿ねじによって行われる。
図24Cによれば、フック領域336は、皿状頭部を収容すべき穴371が、ねじ回しのような工具を案内することができるために、自由に手が届くように戻されることによって、付設の孔273はフック368（図14、15とは異なり）の内方で一線に揃えることができる。この閉鎖要素332に進入するロックロッドの軸線平面は、ロックがロックロッドの偏倚のない領域がロッキングのために役立ち、一方偏倚領域はロックロッドを錠の開放位置に開放するために役立つ。このことは次に図7Aに基づいて詳しく説明する。
これに対して、図14、15による実施形態ではそこに示された通口239の軸線がフック部分268から偏倚して位置しかつ従って偏倚領域でロックされかつその通常通口239に向けられた領域をフック部分236の外方に位置させるようなロッドにとって好適である。
図24A、図24B及び図24Cによる機構は、幾分狭く、しかしそのために幾分長く、一方例えば図12又は図13又は図14又は図16による機構は幾分短く、しかしそのために幾分広くなっている。
一方図６及び図７にそれによって１つのロックロッド18又は118が示され、その狭い縁はそれによって一平面に位置し、このことは図23A及び図23Bに示されたロックロッド218とは異なる。ここでは偏倚領域は、それによってロックロッド218の偏倚のない部分の狭い縁平面291に対して傾斜部を有しかつ平面291と一致する平面293に出る斜めの乗り上げ面284、292が得られるようにされている。
図8A、図8B及び図8Cに示された実施形態では、偏平帯材ロッド318は図６又は図７のロッド18又は218と類似に構成され、しかし追加的にそれぞれずれを作用する両曲げ撓み線76、78の領域において、狭い桟敷状部材80、82にトラフ状の窪み領域84又は86を有し、トラフ状窪み領域84又は86は両側に配設されており、その結果図8Cの形状は横軸線のまわりをも縦軸線のまわりでも軸線対称が生じる。打抜きの際に容易に製造可能なこのトラフ状窪み領域84、86は追加の案内溝88又は90を生じ（図8B）、案内溝は好ましくは、案内溝が偏平帯材ロッド318の材料厚さＳと等しい幅を有し、このことは偏倚部が寸法2Sだけ偏平帯材ロッドの平面から行われる（図8A）ことによって達成されることができ、その結果機構の全幅（偏倚部を有するロッド）は3Sになる。
この案内溝88又は90によって、ロックになお大きな安定性を与えることが可能であり、その際好ましくは閉鎖要素432（図8B）の固定脚部438の中央領域から偏平帯材ロッドのトラフ状窪みに向けられた突起又はウエブ92が突出し、同様に把持するフック部分436からこれに対して整向された他の突起又はウエブ94が突出する。この追加の案内によって増大される全機構の安定性の他に乗り上げ面92、94が得られ、乗り上げ面は偏倚されてない領域（図７に類似）か又は偏倚領域（図６に類似）における狭い側80、82の進入を容易にする乗り上げ面92、94が得られる。
結局図9A及び図9Bに記載されており、その際閉鎖要素418はその偏倚部分Ａにおいてその部分の形状において先ず符号96の方向及びこれは反対の方向の符号98の方向において、好ましくはそれぞれ等しい量だけ偏倚されており、その際図示の実施形態ではこの量はロッド厚さに殆ど相当する。そのような機構の全幅は殆ど偏平帯材ロッドの厚さＳの３倍であり、即ちここでは3Sであり、その結果図9Bによる閉鎖要素532の幅は図8Bの実施形態の幅と実質的に相応する。この閉鎖要素532は実質的にＵ状の横断面を有し、その際この横断面のウエブ538は固定面として役立ち、一方Ｕ脚部546の自由端からそれぞれ１つのフック部分536が突出し、閉鎖がこの閉鎖位置で行われる場合に、フック部分の後方にそれぞれ偏倚部96又は98が位置することができる、そのわけは閉鎖要素のフック部分536が区間Ａに達する限り、ロッドはここでは両側で支持されるからである。
この機構の利点はその対称性にあり、対称性は、関係が変えられることなしにロッドが他にも利用されることを可能にする。他の利点はロックロッドがねじり負荷をかけられないことである。
全横断面長さ（図8C）に亘る完全な偏倚部の代わりに、図6Bによればロッド418の上端が、片側に撓められ即ち上端にのみ偏倚部が生じ、曲げ部は横断面長さの下方端では再び零に減少されることで充分である（図25）。そのような形態は例えば図6Aによる閉鎖要素において問題なしに使用可能である。
図１に示された曲げ部99は、ロッド18が扉板12の縁100に対して一定の距離に案内されている場合には、省略されることができ、このこのは例えばロッド案内の他の機構又は他の構造によって可能にされる。扉枠に固定されかた閉鎖要素32は、例えば閉鎖要素32の面33が縁100の内面35に当接しかつそれによって扉枠に対する扉板12の追加の案内が可能にされる程度に、扉板12の縁100の近くに戻される。
総括して技術水準に対して製造の簡単化のみならず、機構は非常にコンパクトでかつ狭い空間に格納可能であることがえられる。狭いことに基づいてロックのレバアームも小さくされ、このことは同一の材料厚さでは力収容能力が高められる。
特に図14〜図16による閉鎖要素の形態の利点は、図24A、図24B及び図24Cによる形態の利点も、図23A及び図23Bによるロックロッドと関連して、以下の事実をもたらす、即ち偏倚輪郭（例えば図23B）、図15（図24Cによる閉鎖要素232で幾分正確度を低くして実現される）による閉鎖要素232のフック部分263の平面図で認められる輪郭に適合される。
この形態によってロックロッド218はロックロッドが図7Aに類似して示された整向において中央位置で開放された扉が作用し、１つの位置でその下に又はその上にしかしロックされた扉が作用される。ロッド218が180゜その縦軸線のまわりに回転されると、図6Aによる位置が生じ、その位置では中央位置はロックされた扉を生じ、偏倚部寸法だけ移動された位置はその下方に又はその上方にしかし扉の開放された位置を生じる。両作動方法は例えば図14〜図16に示されたと同様な閉鎖要素によって達成される。
機能変更のための代わりにロックロッド218は縦軸線のまわりに180゜だけ回転されると、その代わりに、同様な効果を達成するために、しかし閉鎖要素235もその固定ねじの軸線に対して平行な軸線のまわりに180゜だけ回転される。
作用方法の変更のこの可能性は、旋回レバ錠では特別に興味があり、その際旋回レバは例えば垂直の位置にかつ２つの相互に反対の垂直位置においてロック可能であり、その際旋回レバのこの３つの位置は閉鎖要素に対するロックロッドの偏倚部の中央位置によって、並びにその下の位置及びその上の位置で曲げられている（例えば本出願人の国際出願公開公報WO94/15049号）。それによって簡単な方法で例えばロックロッドに握りの中央位置が錠の開放位置から閉鎖位置に変えられかつ反転されることができる。
本発明により可能にされる転向可能性はこれに対して例えば西独国特許明細書第4203162号4210586号は提供しない。そこで使用されたロックロッドはその縦軸線のまわりに180゜回転され、幾何学的になにも機構を変えず従って機能をなにも変えない。
用途
本発明は例えば開閉装置構造に利用可能である。
【図２】
0003547757.tif 000002
【図４】
0003547757.tif 000003
【図５】
0003547757.tif 000004
【図６Ａ】
0003547757.tif 000005
【図６Ｂ】
0003547757.tif 000006
【図７Ｂ】
0003547757.tif 000007
【図１８Ａ】
0003547757.tif 000008
【図１８Ｂ】
0003547757.tif 000009
【図１９】
0003547757.tif 000010
【図２２Ａ】
0003547757.tif 000011
【図１】
0003547757.tif 000012
【図３】
0003547757.tif 000013
【図７Ａ】
0003547757.tif 000014
【図７Ｃ】
0003547757.tif 000015
【図８Ｂ】
0003547757.tif 000016
【図２２Ｂ】
0003547757.tif 000017
【図８Ａ】
0003547757.tif 000018
【図８Ｃ】
0003547757.tif 000019
【図９Ａ】
0003547757.tif 000020
【図９Ｂ】
0003547757.tif 000021
【図１０】
0003547757.tif 000022
【図１２】
0003547757.tif 000023
【図１４】
0003547757.tif 000024
【図１５】
0003547757.tif 000025
【図１６】
0003547757.tif 000026
【図１７】
0003547757.tif 000027
【図２０】
0003547757.tif 000028
【図２５】
0003547757.tif 000029
【図１１】
0003547757.tif 000030
【図１３】
0003547757.tif 000031
【図２１】
0003547757.tif 000032
【図２４Ａ】
0003547757.tif 000033
【図２４Ｂ】
0003547757.tif 000034
【図２３Ａ】
0003547757.tif 000035
【図２３Ｂ】
0003547757.tif 000036
【図２４Ｃ】
0003547757.tif 000037